(57)【要約】  本発明は、エアロゾルを生成する交換カートリッジであって、少なくとも１つの底部（１）と、少なくとも１つ蓋部（２）を有し、第１の、特に液体のエアロゾル成分のためのタンクが前記底部（１）および／または前記蓋部（２）の中に形成され、前記交換カートリッジの中に気化ノズル（５、６）が形成され、前記底部（１）と前記蓋部（２）とがバイオネットジョイントにより結合される交換カートリッジに関する。
2016525004.tif 000002
【特許請求の範囲】
【請求項１】
エアロゾルを生成する交換カートリッジであって、
少なくとも１つの底部（１）と、
少なくとも１つ蓋部（２）を有し、
第１の、特に液体のエアロゾル成分のためのタンクが前記底部（１）および／または前記蓋部（２）の中に形成され、
前記交換カートリッジの中に気化ノズルが形成され、
前記底部（１）と前記蓋部（２）とがバイオネットジョイントにより結合される
交換カートリッジ。
【請求項２】
前記バイオネットジョイントは、少なくとも１つの突起（８７）と、
少なくとも１つのフック（７７）を備え、
前記フック（７７）は、摺動面（８０）を備え、底部（１）と蓋部（２）とが合体する際に、前記突起（８７）が前記摺動面上を滑ることを特徴とする
請求項１に記載の交換カートリッジ。
【請求項３】
前記底部（１）および／または前記蓋部（２）が、センタリング面を備える
ことを特徴とする請求項１または２に記載の交換カートリッジ。
【請求項４】
前記交換カートリッジは、少なくとも１つの前記バイオネットジョイントに対応する係合エッジ（８３）および少なくとも１つの前記バイオネットジョイントに対応する係合収容部（９０）を備え、
前記底部（１）および前記蓋部（２）は、前記係合エッジ（８３）および係合収容部（９０）によって相互に係合可能となる
ことを特徴とする請求項１乃至３のいずれかに記載の交換カートリッジ。
【請求項５】
前記底部（１）と前記蓋部（２）とが１回だけ相互に係合可能となるように、前記係合エッジ（８３）および／または前記係合収容部（９０）が構成される
ことを特徴とする請求項１乃至４のいずれかに記載の交換カートリッジ。
【請求項６】
前記係合エッジ（８３）および／または前記係合収容部（９０）に破断箇所が設けられ、前記係合を解除する際、特に視認可能に、前記係合エッジおよび／または前記係合収容部が破壊される
ことを特徴とする請求項１乃至５のいずれかに記載の交換カートリッジ。
【請求項７】
前記係合エッジ（８３）および／または前記係合収容部（９０）が、カバー（９２）を備える
ことを特徴とする請求項１乃至６のいずれかに記載の交換カートリッジ。
【請求項８】
前記交換カートリッジは、前記底部（１）と前記蓋部（２）との間に配置される、シーリングリングを備える
ことを特徴とする請求項１乃至７のいずれかに記載の交換カートリッジ。
【請求項９】
前記交換カートリッジには、前記底部（１）および／または前記蓋部（２）に、取り外し可能に、または、取り外し不可能に結合された圧縮ガス容器、特に、圧縮ガスカートリッジが含まれる
ことを特徴とする請求項１乃至８のいずれかに記載の交換カートリッジ。
【請求項１０】
前記圧縮ガス容器には、芳香性の、および／または消毒効果のある、および／または治療効果のあるガス、特に酸素が入っている
ことを特徴とする請求項１乃至９のいずれかに記載の交換カートリッジ。
【発明の詳細な説明】
【技術分野】
【０００１】
本発明は、エアロゾルを生成する交換カートリッジであって、少なくとも１つ底部と、少なくとも１つの蓋部とを有し、底部または蓋部の中に第１の、特に液体エアロゾル成分のタンクが形成される交換カートリッジに関する。
【背景技術】
【０００２】
とりわけ、吸入器、人工呼吸器またはキャビンの中の上述の交換カートリッジは、気道または生体をエアロゾルに触れさせるために用いられる。これらは、治療目的でも消毒目的でも用いられる。
【０００３】
特許文献１には、気化させる液体を満たした後に結合可能な少なくとも２つの部品からなる交換カートリッジが開示されている。これらは、例えば、プラグ結合またはねじ込み結合される。
【０００４】
ねじ込み結合を構成するためには、部品が正確に配置され、その位置で相対して回転させられなければならない。これでは、気化させるべき液体を装填した後でカートリッジを閉める時間が長くなる。さらに、大量の処理を考慮した自動化が難しい。簡単なプラグ結合では、不用意なカートリッジの開放に対して限られた保護しか提供できない。
【０００５】
好適なのは、特許文献２に開示されている、２つの部品を、特に溶接により、接着させる取り外し不可能な結合である。接着または溶接されたカートリッジを、より長期に渡って保存すると、漏れが発生し得ることが分かっている。
【０００６】
特許文献３には、エアロゾル発生器に用いられるアンプルであって、アンプルに入っている物質を霧状にさせるためのアンプルが開示されている。このアンプルは、その物質の少なくとも１つの成分を収容するチャンバーを形成する容器部、および、エアロゾル発生器の収容部分の中でアンプルを固定するインターフェース部分であって、これによりエアロゾル発生器がその物質からエアロゾルを生成するインターフェース部分を有している。
【０００７】
特許文献４には、物質を気化させる装置において、気化される物質を容器内部に導入する蓋部によって耐圧閉鎖可能な開口を有し、また、容器の外に配置され、開放された通路へのスプレーバルブを通して容器内部につながったスプレーノズルを有し、それによって、容器内部への圧力媒体を導入することができる圧力容器から成る装置が開示されている。
【０００８】
特許文献５には、液体用のカートリッジが開示されている。このカートリッジは、３層の容器であり、液体の入った折り畳み可能な袋、寸法安定性を有する容器、および硬い金属スリーブから構成され得る。このカートリッジは、着脱可能な装置に対して取り外し可能に結合することができ、装置は病気の治療のための吸引可能なエアロゾルの生成用の独立した噴霧器として機能する。
【先行技術文献】
【特許文献】
【０００９】
【特許文献１】国際公開第WO  20111082838号
【特許文献２】国際公開第WO  20111082838号
【特許文献３】DE  10  2011  079  810
【特許文献４】DE  87  04  273
【特許文献５】DE  199  40  713
【発明の概要】
【００１０】
本発明は、このような状況に鑑みてなされたものであり、上記のカートリッジにおいて、容易に製造でき、漏れに対する保護性が向上したカートリッジを提供することを目的とする。
【００１１】
この目的は、本発明の交換カートリッジにより達成される。この交換カートリッジは、エアロゾルを生成する交換カートリッジであって、少なくとも１つの底部および少なくとも１つの蓋部を有し、第１の、特に液体のエアロゾル成分のためのタンクが底部および／または蓋部の中に形成され、交換カートリッジの中に気化ノズルが形成され、底部と蓋部とがバイオネットジョイントにより結合される。
【００１２】
上述の交換カートリッジの利点には、気化ノズルが交換カートリッジの中に形成され、気化ノズルが汚れおよび損傷から保護されることがある。従って、より均一に、かつ、より安全に噴霧化することができる。
【００１３】
相互の並進運動によって、その後の回転のために、底部および蓋部を簡単に調整することができる。また、バイオネットジョイントを閉じる際には、わずかな角度回転させるのみで足り、時間がかからない。
【００１４】
さらに、バイオネットジョイントによる結合は、ねじによる結合とは異なり、交換カートリッジの製造に、より大きい寸法公差を許容する。従って、例えば、射出成型などの安価な製造工程とすることもできる。
【００１５】
バイオネットジョイントは、例えば、対応するフックが係合する突起により構成され得る。バイオネットジョイントのために３組の突起とフックを設けた場合、底部と蓋部とを問題なく合体させる際の回転角をより小さくすることができる。
【００１６】
ある実施の形態では、底部および／または蓋部がセンタリング面を備える。センタリング面によって、回転の前に必要となる底部と蓋部との組み合わせを、簡単にすることができる。
【００１７】
さらに発展させた実施の形態では、交換カートリッジが少なくとも１つのバイトネットジョイントに対応する係合エッジおよび少なくとも１つのバイオネットジョイントに対応する係合収容部を備え、底部および蓋部は係合エッジおよび係合収容部によって相互に係合可能となる。係合によって、カートリッジを閉める人または機械が、底部と蓋部との安全かつ耐久性のある結合に十分な回転を識別することができる。さらに、係合によって、不用意な交換カートリッジの開放が抑制される。
【００１８】
別の実施の形態では、底部と蓋部とが１回だけ相互に係合できるように、係合エッジおよび／または係合収容部が構成される。このようにすることで、交換カートリッジが不正に開けられること、および不適切な第２のエアロゾル成分が再充填されることが防止される。
【００１９】
また、さらに発展させた交換カートリッジの実施の形態では、係合エッジおよび／または係合収容部に破断箇所が設けられ、係合を解除する際、特に視認可能に、係合エッジおよび／または係合収容部が破壊されることになる。破断箇所が設けられることによって、交換カートリッジが閉められた後、再度開けることはできるが、もう一度確実に閉めることはできないようにすることができる。交換カートリッジを開けると、例えば、交換カートリッジの使用後の第２のエアロゾル成分の残りを取り出すことができ、かつ、残った交換カートリッジの部位を、別々に廃棄できる。
【００２０】
破断箇所は、特に、底部または蓋部にのみ提供されるようにすることができる。この場合、破壊されていない蓋部または底部を、場合によっては必要なクリーニングおよび／または滅菌の後で、あらたに交換カートリッジを製造する際に、必要なら再利用することができ、そして、このようにすることで持続可能な資源の消費に貢献することができる。開放後の破断箇所における破壊が視認可能であることによって、交換カートリッジのユーザは、初期梱包状態の交換カートリッジを見分けることができる。
【００２１】
また、ある実施の形態では、交換カートリッジ底部と蓋部との間に配置されたシーリングリングを備える。シーリングリングにより第２のエアロゾル成分が交換カートリッジの中に液体の状態で密封保持されることが保証される。シーリングリングは、底部と蓋部との間に軸方向に配置され、底部の表面と蓋部の表面との隙間をふさぐ。同様に、シーリングリングは、底部と蓋部との間に径方向に配置されてもよく、バイオネットジョイントの軸方向に加えられるわずかな押圧力だけでも、適切な閉塞が保証されるように、蓋部または底部の内周面に対向する底部または蓋部の外周面の隙間をふさぐようにしてもよい。同様に、シーリングリングは、底部と蓋部とが組み合わせられる前に、底部または蓋部の外周面にしっかりとはめられるようにすることができる。
【００２２】
さらに発展させた形態では、交換カートリッジが圧縮ガス容器、特に圧縮ガスカートリッジを含む。圧縮ガス容器、特に圧縮ガスカートリッジを備える交換カートリッジは、独立して使用され得る。特に、エアロゾルを排出するための圧縮ガスの生成に用いられるコンプレッサーを別個に用意しなくてもよい。これは、特に、電気設備が特別な安全基準を満たす必要がある多湿の環境において有益である。
【００２３】
エアロゾルの排出を中断し、後から再開することができるように、ガス容器にはバルブが設けられるようにしてもよい。あるいはまた、使用の都度、正確に決められた量のガスが供給されるように、ガス容器にはバルブが設けられないようにしてもよい。
【００２４】
圧縮ガス容器は、底部および／または蓋部に、取り外し可能に結合されるようにしてもよい。このようにすることで、タンクにある第１のエアロゾル成分の排出のために用いるガスの種類を、予定される使用に応じて切り替えることができる。例えば、第１のエアロゾル成分を、通常は、低価格で利用可能な窒素とともに排出し、特別な場合は酸素とするようにしてもよい。同様に、圧縮ガス容器の中身を、異なる第１のエアロゾル成分とともに用いることも可能である。これは特に、異なる第１のエアロゾル成分が、同一の種類のガスとともに排出される場合に適している。解除可能な結合を構成するために、例えば、ガス容器が、底部および／または蓋部にねじ込まれる。この種の結合では、低価格で利用可能な、一般に流通している圧縮ガス容器を用いることができるという利点がある。特に、通常、救命装備、つまりライフジャケットまたは救命ゴムボートを膨らませるために用いられている圧縮ガス容器も考慮に値する。また、結合は、バイオネットジョイントによって構成されるようにしてもよい。この結合の結果もたらさせる有利な効果は、すでに上記の底部／蓋部の結合を参照して指摘された。
【００２５】
圧縮ガス容器を、底部および／または蓋部に、取り外せないように結合させることもあり得る。この場合、使用の際には、ガスと第１のエアロゾル成分とが常に決められた組み合わせになり、成分が、不適切に、ことによると健康を害するように混合されることはない。さらに、この実施の形態では、新たな使用のために、１つの部位、つまり交換カートリッジを取り換えるだけで足り、取り外し不可能な結合によって、交換カートリッジの利用を簡易にすることができる。
【００２６】
さらに、交換カートリッジの実施の形態によって、芳香性の、および／または消毒効果のある、および／または治療効果のあるガス、特に酸素が入った圧縮ガス容器が提供される。換言すれば、このガスは、第１のエアロゾル成分の排出および噴霧化のために消極的に用いられるのではなく、積極的に寄与する。そのような実施の形態は、高い治療効果の達成を実現するために、第１のエアロゾル成分とこのガスとの間の調整を可能とする。
【図面の簡単な説明】
【００２７】
【図１】図１は、底部、蓋部、シーリングリング、およびノズルインサートを示す図である。
【図２】図２は、蓋部、シーリングリング、および底部を示す図である。
【図３】図３は、蓋部および底部を示す図である。
【図４】図４は、交換カートリッジを示す図である。
【図５】図５は、底部の下側を示す図である。
【図６】図６は、蓋部の上側を示す図である。
【図７】図７は、蓋部の下側を示す図である。
【図８】図８は、底部の一部を詳細に示す図である。
【発明を実施するための形態】
【００２８】
図１には、底部１、蓋部２、所定の内径４を有するシーリングリング３、およびノズルインサート５が示されている。底部１、蓋部２、およびノズルインサート５は、成形部品として構成される。射出成型によって、特にプラスティックを、安価な方法で必要な形に成形できる。
【００２９】
ノズルインサート５、特にノズル開口６の寸法は、エアロゾル粒子または液滴の大きさに特に大きな影響を与える。そのため、ノズルインサート５のために、より製造公差の小さい、別の製造工程および／または材料を用いることも原則として可能である。ノズルインサート５は、幾何学的に簡単な形状なので、ノズルインサート５の製造工程の変更によりコストが増大することはない。
【００３０】
図２は、蓋部７、シーリングリング８、およびノズルインサート１０が挿入される底部９を示している。ノズルインサートは、リブ（ひだ）１１、１２、１３、１４、１５および１６によって径方向に固定されている。リブ１１、１２、１３、１４、１５および１６は、底部９の強化に寄与する。ノズルインサート１０は、軸方向に移動可能であり、例えば、異なる材質の他のノズルインサート（図示せず）、および／または、ノズル開口１７とは形および／または大きさが異なるノズル開口と置き換えることができる。
【００３１】
図３には、蓋部１８および底部１９が示されている。底部１９には、ノズルインサート２０が挿入され、シーリングリング２１が底部の外周面２２にはめられている。
【００３２】
シーリングリング２１が外周面２２にはめられるのは、ノズルインサート２０の挿入の前でもよいし、後でもよい。弾性のシーリングリング２１の内径は、例えば、外周面２２の内径より小さくなるように選択され、はめた後で、シーリングリング２１が外周面２２によってしっかりと保持されるようにしてもよい。シーリングリング２１をしっかりと保持するにあたり、例えば、シーリングリング２１の取り付け、または、底部の輸送の際に底部１９の操作している間のノズルインサート２０の脱落を防止するために、ノズルインサート２０が挿入される前に、これを外周面２２にはめることが考えられる。
【００３３】
図４には、バイオネットジョイントによって結合された底部２４および蓋部２５を有する交換カートリッジ２３が示されている。
【００３４】
図５には、底部２６の下側が示されている。底部２６の底２７は凸状になっている。底２７の湾曲によって、底部のタンクの中にあるエアロゾル成分の中で放出するこができないエアロゾル成分の量を減少させることができる。これは、消費される資源の抑制と、コスト低減に寄与する。底部２６は、シリンダーバレル２８から突き出たリブ２９、３０、３１、３２、３３、および３４によって強化されている。リブ２９、３０、３１、３２、３３、および３４は、底部２６の内部まで伸びていてもよく、図２のリブ１１、１２、１３、１４、１５および１６に対応してノズルインサートの径方向の固定に用いられるようにしてもよい。底部２６の径方向の中心には、中空シリンダー３５が形成されており、カバー３６によって閉じられている。図示の実施形態の例では、カバー３６は、底２７および底部２６の残りの部分と一体化されて実装されている。ただし、中空シリンダー３５は、ホイル、特にアルミまたはプラスチックホイルによってカバーされるようにしてもよい。図示せぬ実施の形態では、中空シリンダー３５は、ガス容器をねじ込むことができる雌ねじを備えてもよい。
【００３５】
図６は、蓋部３７の上側を示す図である。蓋部３７の上側には、開放補助３８、３９、４０、４１、４２、および４３が設けられている。蓋部３７とともに提供される交換カートリッジを、関連する装置に挿入する場合、最初に、開放補助３８、３９、４０、４１、４２、および４３は、それぞれの上端４４、４５、４６、４７、４８、および４９が、対応して形成された装置の接触面と接触し、続いて、シリンダーバレル５６、およびストップピン５７乃至６８を有する交換カートリッジが装置の接触面に当接する前に、曲げ線５０、５１、５２、５３、５４、および５５において曲げられる。その際、蓋部３７によって閉じた空間への開口を形成し、そこを通って交換カートリッジの内部で生成されたエアロゾルが装置に排出されるように、開放補助３８、３９、４０、４１、４２、および４３は、破断箇所６９、７０、７１、７２、７３、および７４に沿ってもぎ取られる。蓋部３７の上側に形成された中空シリンダー７５は、この間、交換カートリッジのセンタリングのために機能し得る。
【００３６】
図７には、蓋部７６の下側が示されている。蓋部は、３つのフック７７、７８、および７９を備えており、底部の図示せぬ対応する突起と協働して、バイオネットジョイントを形成することができる。フックは、同様に、底部に形成することも可能であり、蓋部の突起と協働するようにしてもよい。フック７７、７８、および７９は、それぞれ摺動面８０、８１、および８２を備え、底部と蓋部７６を組み合わせる際に、底部の対応する突起が摺動面上を滑る。フック７７、７８、および７９には、さらに、係合エッジ８３、８４、および８５が形成されており、これにより蓋部７６は、対応する底部と係合可能となる。
【００３７】
図８は、蓋部のフックと協働してバイオネットジョイントを形成する３つの突起８７、８８、および８９を有する底部８６の一部を詳細に示す図である。突起８７は、他の突起８８および８９と同様に、係合収容部９０を備え、これにより底部８６は蓋部の対応する係合エッジと係合可能となる。権限のある者だけが交換カートリッジに第１のエアロゾル成分を満たすことができることを確実にするために、底部８６は、対応する蓋部と１度だけ係合するようにされている。特に、交換カートリッジの医療用途では、交換カートリッジの充填の際には消毒された環境とすることが重要である。また、交換カートリッジの医療用途では、医学的に有効な第１のエアロゾル成分が、効果のない、ましてや有害な物質と取り換えられることがないように、通常は、不正開封防止機構のある交換カートリッジが要求される。係合収容部９０および９１は、保護壁９２および９３によって径方向に保護されている。底部８６と、対応する蓋部が結合された状態においては、このようにして、交換カートリッジの不正開封から係合を保護することができる。
【図１】
2016525004.tif 000003
【図２】
2016525004.tif 000004
【図３】
2016525004.tif 000005
【図４】
2016525004.tif 000006
【図５】
2016525004.tif 000007
【図６】
2016525004.tif 000008
【図７】
2016525004.tif 000009
【図８】
2016525004.tif 000010
【国際調査報告】
2016525004.tif 000011
2016525004.tif 000012
2016525004.tif 000013
2016525004.tif 000014
2016525004.tif 000015